(57)【要約】【課題】監視装置の設置位置に対応した地域の設定情報を外部サーバから取得することにより、メモリ容量を増やすことなく、ユビキタスに利用可能であり且つ優れたユーザビリティを発揮する。【解決手段】監視装置１０１はロケーション情報生成部４、情報取得部６、設定部８を有している。ロケーション情報生成部４は、位置測位システム１からの位置測位情報を利用して監視装置１０１の設置位置を特定してロケーション情報３として生成する。情報取得部６は、確定したロケーション情報３に応じて地域別設定情報５を外部サーバ１０から取得し、地域別設定情報５を展開して取得データ２１を設定部８に出力する。設定部８は、取得データ２１に従って表示言語および整定値の設定処理を行う。【選択図】図１
2015195662.tif 000002
【特許請求の範囲】
【請求項１】
監視装置が設置された位置を特定して当該監視装置のロケーション情報を生成するロケーション情報生成部と、
地域ごとの地域別設定情報を管理する外部サーバに接続されると、前記ロケーション情報に基づいて、前記外部サーバから前記ロケーション情報に対応した地域における地域別設定情報を取得する情報取得部と、
前記地域別設定情報に従って少なくとも表示言語あるいは整定値の設定処理を行う設定部、を有することを特徴とする電力系統の監視装置。
【請求項２】
位置測位システムから位置測位情報を受信する受信部を有し、
前記ロケーション情報生成部は、前記位置測位情報に基づいて前記ロケーション情報を生成することを特徴とする請求項１に記載の電力系統の監視装置。
【請求項３】
電源から電源電圧情報を取り入れて公称電圧値および周波数値を計測する計測部を有し、
前記ロケーション情報生成部は、前記計測部の計測結果に基づいて前記ロケーション情報を生成することを特徴とする請求項１に記載の電力系統の監視装置。
【請求項４】
複数の候補地の位置情報を格納する候補地格納部と、
前記候補地を出力する候補地出力部と、
前記候補地の中からユーザによる選択を受け付ける候補地受付部、を有し、
前記ロケーション情報生成部は、前記候補地受付部が受け付けた候補地の位置情報から前記監視装置のロケーション情報を生成することを特徴とする請求項１〜３のいずれか１項に記載の電力系統の監視装置。
【請求項５】
前記地域別設定情報は、表示言語のフォントサイズが予め最適値に設定されたフォントサイズ設定情報を含み、
前記設定部は、前記フォントサイズ設定情報に従って表示言語のフォントサイズを設定することを特徴とする請求項１〜４のいずれか１項に記載の電力系統の監視装置。
【請求項６】
前記地域別設定情報が最新の設定情報か否かを判定する判定部と、
前記判定部の判定結果に従い前記地域別設定情報が最新の設定情報であることを報知する最新設定情報報知部、を有し、
前記情報取得部は、前記最新設定情報報知部が報知した最新の地域別設定情報を外部サーバから取得することを特徴とする請求項１〜５のいずれか１項に記載の電力系統の監視装置。
【発明の詳細な説明】
【技術分野】
【０００１】
本発明の実施形態は、地域ごとに管理された設定情報を外部サーバから取得する電力系統の監視装置に関するものである。
【背景技術】
【０００２】
保護リレー装置など、電力系統の電気量を常時監視する監視装置は、送電線や変電機器などの電力流通設備に発生する落雷や短絡故障などの事故を、数十ｍｓという短時間で的確に検出し、遮断器に対して事故区間を切り離す指令を出力する装置である。監視装置は電力系統の安定運用を持続する上で不可欠な装置であり、様々な技術が提案されている。
【０００３】
例えば、特許文献１に記載された電力系統保護制御システムは、複数のリレーユニットを備えた保護リレー装置と、管理装置を備えている。各リレーユニットはＨＩ（Ｈｕｍａｎ  Ｉｎｔｅｒｆａｃｅ）画面を表示させる際に使用する情報が格納されたＷｅｂサーバを搭載し、管理装置がＷｅｂブラウザを介して各リレーユニットのＷｅｂサーバから所望の情報を取得し各リレーユニットのＨＩ画面を表示させるようになっている。
【先行技術文献】
【特許文献】
【０００４】
【特許文献１】特開２０１３−１２６２９６号公報
【発明の概要】
【発明が解決しようとする課題】
【０００５】
監視装置を電力系統に適用する場合、マンマシーンインターフェース（以下、ＭＭＩ）画面に表示される表示言語や、装置の整定値、さらにはアプリなどを、必ず設定しなければならない。監視装置の設定処理は通常、必要な設定情報に従って、監視装置の設置時、あるいはデータ更新時などに実施している。
【０００６】
監視装置に設定される対象のうち、ＭＭＩ画面上の表示言語は、監視装置が設置される国や地域（以下、地域を広義に捉えて、国も地域に含めるものとする）ごとにローカル言語が設定される。また、監視装置の整定値についても監視装置が設置される地域ごとに異なるので、各地域に合った整定値設定が実施される。
【０００７】
従来の監視装置における表示言語や整定値の設定は、監視装置に組み込まれている設定のみの対応となっている。このため、監視装置が設置される対象地域が広がると、表記文字におけるテキストサイズは肥大化し、ＭＭＩによる表示処理が複雑化して、監視装置に格納される表示言語のデータ量が膨大となる。また、整定値に関しても、監視装置が設置される対象地域が広がれば、整定値を設定するための情報量が増えることになる。
【０００８】
しかしながら、監視装置は通常、組込みマイコン系の機器なので、メモリ容量には限界がある。したがって、格納されるデータ量の増大に対応することは難しく、メモリ不足が懸念される。そこで従来から、電力系統の監視装置の分野では、装置が設置される地域が広がろうとも、監視装置の設置地域に柔軟に対応可能であり、表示言語や整定値の設定を効率よく実施する技術が求められていた。
【０００９】
本発明の実施形態は、上述した課題を解決するためになされたものであり、監視装置の設置位置に対応した地域の設定情報を外部サーバから取得することにより、メモリ容量を増やすことなく、ユビキタスに利用可能であり且つ優れたユーザビリティを発揮することができる電力系統の監視装置を提供することを目的とする。
【課題を解決するための手段】
【００１０】
上記目的を達成するために、本発明の実施形態は、次の構成要素（１）〜（３）を有することを特徴とする。
（１）監視装置が設置された位置を特定して当該監視装置のロケーション情報を生成するロケーション情報生成部。
（２）地域ごとの地域別設定情報を管理する外部サーバに接続されると、前記ロケーション情報に基づいて、前記外部サーバから前記ロケーション情報に対応した地域における地域別設定情報を取得する情報取得部。
（３）前記地域別設定情報に従って少なくとも表示言語あるいは整定値の設定処理を行う設定部。
【図面の簡単な説明】
【００１１】
【図１】第１の実施形態のブロック図。
【図２】第１の実施形態におけるデータ概念図。
【図３】第１の実施形態における情報取得処理のフローチャート。
【図４】第２の実施形態のブロック図。
【図５】第３の実施形態のブロック図。
【図６】第３の実施形態における情報取得処理のフローチャート。
【図７】第４の実施形態のブロック図。
【図８】第５の実施形態のブロック図。
【図９】第５の実施形態における情報取得処理のフローチャート。
【発明を実施するための形態】
【００１２】
（第１の実施形態）
第１の実施形態について、図１〜図３を用いて説明する。図１は第１の実施形態の構成を示すブロック図、図２は監視装置側に格納されるデータと外部サーバ側に格納されるデータについての概念図、図３は第１の実施形態における情報取得処理の流れを示すフローチャートである。
【００１３】
（構成）
図１に示すように、監視装置１０１は、位置測位システム１と、クラウドなどの外部サーバ１０と共に、電力系統の監視システムを構成する。位置測位システム１は、位置測位情報を送信するＧＰＳなどである。
【００１４】
外部サーバ１０には監視装置１０１がＬＡＮ接続されるようになっている。外部サーバ１０では、監視装置１０１の設定情報に対して、その設定情報に属する地域名のタグを付け、監視装置１０１の設定情報を地域別に分類した地域別設定情報５として管理する（図２の右側参照）。つまり、地域別設定情報５とは、付与されたタグの地域名に対応する地域において表示言語および整定値を設定するための設定情報である。例えば、表示言語の設定情報において、タグの地域名が韓国であれば、設定される表示言語は韓国語となり、タグの地域名が日本であれば、設定される表示言語は日本語となる。
【００１５】
監視装置１０１は、ロケーション情報生成部４、情報取得部６、設定部８およびＭＭＩ画面表示部９を有している。このうち、ロケーション情報生成部４には、位置測位システム１用のインターフェース２を実装し、インターフェース２には位置測位システム１から位置測位情報を受信するアンテナ１１を接続している。アンテナ１１が位置測位システム１から位置測位情報を受信して位置測位情報を得ると、ロケーション情報生成部４は、位置測位情報を基に監視装置１０１が設置された位置を特定し、特定した位置のロケーション情報３を生成する。
【００１６】
情報取得部６は、ロケーションリスト１９（図２の左側参照）を格納している。ロケーションリスト１９とは、地域別設定情報５のタグに対応したロケーション情報３のリストである。また、情報取得部６は、外部サーバ１０とのＬＡＮ接続を判定する接続判定部２０を有している。
【００１７】
情報取得部６は、外部サーバ１０から地域別設定情報５を取得すると、これを展開して取得データ２１とする。設定部８は、取得データ２１に従って表示言語および整定値の設定処理を行う。ＭＭＩ画面表示部９は、設定部８にて設定された表示言語および整定値をＭＭＩ画面上に表示する。
【００１８】
（地域別設定情報の取得処理）
図３のフローチャートを用いて、情報取得部６による地域別設定情報５の取得処理の流れについて説明する。接続判定部２０は監視装置１０１が外部サーバ１０にＬＡＮ接続されているか否かを判定する（ステップＳ０１）。このとき、監視装置１０１が外部サーバ１０にＬＡＮ接続されていると接続判定部２０が判定すれば（ステップＳ０１のＹｅｓ）、情報取得部６はロケーションリスト１９を参照して（ステップＳ０２）、ロケーション情報３を確定させる。
【００１９】
そして情報取得部６は、確定したロケーション情報３のタグが付与された地域別設定情報５を、外部サーバ１０に要求し、外部サーバ１０から地域別設定情報５をダウンロードする。以上のように、監視装置１０１が外部サーバ１０にＬＡＮ接続されていれば、情報取得部６は、監視装置１０１の設置位置にて必要な地域別設定情報５を自動的に取得する（ステップＳ０３）。
【００２０】
情報取得部６は自動的に取得した地域別設定情報５を展開して取得データ２１とする（ステップＳ０４）。なお、監視装置１０１が外部サーバ１０にＬＡＮ接続されていなければ（ステップＳ０１のＮｏ）、情報取得部６は地域別設定情報５を外部サーバ１０からダウンロードすることなく、情報取得処理を終了する。
【００２１】
設定部８は情報取得部６から取得データ２１を受け取ると、この取得データ２１に従って、表示言語および整定値を設定する。その際、外部サーバ１０から取得した地域別設定情報５と情報取得部６にて展開した地域別設定情報５のＳＵＭ値のチェックを行い、取得データ２１の整合性を図る。ＭＭＩ画面表示部９は、設定部８が設定した監視装置１０１の表示言語および整定値を、ＭＭＩ画面に表示する。
【００２２】
（作用および効果）
上記の第１の実施形態においては、監視装置１０１が外部サーバ１０にＬＡＮ接続されていれば、監視装置１０１がどこに設置されようとも、ロケーション情報生成部４が生成したロケーション情報３を利用して、監視装置１０１の設置位置に対応した地域別設定情報５を、外部サーバ１０から自動的に取得することができる。したがって、監視装置１０１が設置される地域に合わせて、表示言語や整定値の設定操作を、手作業でいちいち実施する必要がなくなり、作業効率が格段に向上する。
【００２３】
従来、表示言語や整定値の設定作業は監視装置１０１を設置する現地で行われるため、監視装置１０１の設定作業を実施する際には、設定作業を行う作業者と監視装置の運用者との間で、作業スケジュールを調整する必要がある。したがって、監視装置１０１を海外に設置する場合には、スケジュール調整が手間取り、監視装置１０１の設定作業が長期化するケースが多いといった不具合がある。
【００２４】
本実施形態では監視装置１０１を外部サーバ１０にＬＡＮ接続するだけで、地域別設定情報５を外部サーバ１０から自動取得することができる。したがって、作業者と運用者との間でのスケジュール調整に煩わされることが全くなく、監視装置１０１の設定作業を迅速且つスムーズに行うことができる。したがって、本実施形態によれば、ユビキタスで、ユーザビリティの高い監視装置１０１を得ることができる。
【００２５】
しかも、監視装置１０１が必要とする地域別設定情報５については、監視装置１０１の内部メモリではなく、クラウドなどの外部サーバ１０が管理するので、監視装置１０１内のメモリに設定情報を格納しておく必要がない。そのため、監視装置１０１のメモリ容量が少なくとも、メモリ不足に陥る心配がない。したがって、本実施形態によれば、処理メモリの容量を確保でき、且つ負荷軽減も可能となる。その結果、多言語への対応や、複雑化したＭＭＩ画面表示処理を、確実に実現することができ、適用範囲が広い監視装置１０１として非常に好適である。
【００２６】
（第２の実施形態）
（構成）
第２の実施形態の構成について図４のブロック図を参照して説明する。なお、下記の実施形態において第１の実施形態と同様の構成に関して、いずれの実施の形態でも同一符号を付して説明は割愛し、その実施形態に独自の構成についてのみ説明する。
【００２７】
図４に示すように、第２の実施形態に係る監視装置１０２の特徴は、ロケーション情報生成部４に、電源電圧情報の計測部７を追加した点にある。符号１８は監視装置１０２のコンセントである。コンセント１８は、監視装置１０２が設置された地域における電源電圧情報を計測部７へ送るようになっている。
【００２８】
計測部７は、電源電圧情報に基づいて地域別に設定される公称電圧値および周波数値を計測する。監視装置１０２はＡ／Ｄ変換処理部を有しており、このＡ／Ｄ変換処理部に計測部７を設けている。任意の地域でユーザが監視装置１０２のコンセント１８を電源に挿入すると、計測部７は、コンセント１８を介して電源電圧情報を取り入れる。計測部７は、取り入れた電源電圧情報から、監視装置１０２の設置位置での公称電圧値および周波数値を計測して、計測結果をロケーション情報生成部４に出力する。
【００２９】
ロケーション情報生成部４は、位置測位システム１からの位置測位情報に加えて計測部７の計測結果を取り込み、位置測位システム１から得た位置測位情報と、計測部７にて得た公称電圧値および周波数値とを照合する。ロケーション情報生成部４は照合結果に基づいて、監視装置１０２の設置位置を特定し、ロケーション情報３を生成する。
【００３０】
（作用および効果）
以上のような第２の実施形態では、位置測位システム１からの位置測位情報だけではなく、地域別に異なる電源電圧情報をコンセント１８から取り入れ、これを利用して監視装置１０２の設置位置を正確に絞り込むことができる。このため、ロケーション情報生成部４は、監視装置１０２のロケーション情報３を高い精度で求めることが可能となる。その結果、情報取得部６が外部サーバ１０から、間違った地域別設定情報５を取得するおそれがなく、設定作業の信頼性が向上する。
【００３１】
また、仮に、監視装置１０２の設置位置が、位置測位システム１による測位位置情報が受信困難な場所であったとしても、コンセント１８からの電源電圧情報は、計測部７において確実に取得することができる。したがって、ロケーション情報生成部４は、計測部７の計測結果のみからでも、ロケーション情報３を生成することが可能となる。このような第２の実施形態によれば、監視装置１０２の設置位置に依存することなく、外部サーバ１０から地域別設定情報５を確実に取得することができ、ユビキタスおよびユーザビリティがいっそう向上する。
【００３２】
（第３の実施形態）
第３の実施形態について、図５、図６を用いて説明する。図５は第３の実施形態の構成を示すブロック図、図６は第３の実施形態における情報取得処理の流れを示すフローチャートである。
【００３３】
（構成）
図５に示すように、第３の実施形態に係る監視装置１０３は、候補地の中からユーザによる選択を受け付ける候補地受付部１４を有している。また、情報取得部６は、候補地格納部１２および候補地出力部１３を備えている。
【００３４】
候補地格納部１２は、複数の候補地のロケーション情報３をリスト化したロケーションリスト１９を保持している。候補地のロケーション情報３には候補地の名称データ２３が包含されている。候補地出力部１３は候補地の名称データ２３をＭＭＩ画面表示部９に出力するようになっている。
【００３５】
候補地出力部１３は、ロケーションリスト１９に載っているロケーション情報３に基づいて、候補地の名称データ２３をＭＭＩ画面表示部９に順次、出力する。ＭＭＩ画面表示部９は候補地出力部１３から受け取った名称データ２３に従って、候補地の名称をＭＭＩ画面に表示する。
【００３６】
ＭＭＩ画面に表示された候補地の名称の中から、ユーザが所望の候補地を選択すると、候補地受付部１４がこの選択を受け付け、選択を受け付けた候補地のロケーション情報３を、情報取得部６が確定させる。情報取得部６は、確定したロケーション情報３に対応した地域別設定情報５を外部サーバ１０から取得する。
【００３７】
（地域別設定情報の取得処理）
第３の実施形態における情報取得処理について、図６のフローチャートを用いて説明する。接続判定部２０が外部サーバ１０にＬＡＮ接続されていると判定すれば（ステップＳ０１のＹｅｓ）、候補地出力部１３は、ロケーションリスト１９に記載されたロケーション情報３に従って、候補地の名称データ２３をＭＭＩ画面表示部９に出力する（ステップＳ１１）。このため、ＭＭＩ画面表示部９は候補地出力部１３から受け取った名称データ２３に従い、この候補地の名称をＭＭＩ画面に表示する（ステップＳ１２）。
【００３８】
ステップＳ１３では、ＭＭＩ画面表示部９が表示する候補地の名称について、候補地受付部１４がユーザからの選択を受け付けたか否かで、ロケーション情報３の確定を判定する。すなわち、候補地受付部１４がユーザからの候補地の選択を受け付けると、情報取得部６は、選択を受け付けた候補地のロケーション情報３を確定し（ステップＳ１３のＹｅｓ）、ステップＳ０３に移行する。
【００３９】
ステップＳ０３、Ｓ０４は、図３に示したフローチャートのステップＳ０３、Ｓ０４と同様であり、情報取得部６は、確定したロケーション情報３のタグが付与された地域別設定情報５を外部サーバ１０に要求し、この地域別設定情報５を外部サーバ１０からダウンロードする。
【００４０】
このとき、情報取得部６は、ユーザが選択した候補地に対応した地域別設定情報５を取得するので、言い換えると現実の設置位置に依存しない地域別設定情報５を、外部サーバ１０から取得することが可能である（ステップＳ０３）。情報取得部６は取得した地域別設定情報５を展開して取得データ２１とする（ステップＳ０４）。
【００４１】
ユーザが表示中の候補地を選択せずに、候補地受付部１４がユーザからの選択を受け付けずに、情報取得部６がロケーション情報３を確定させなければ（ステップＳ１３のＮｏ）、候補地出力部１３は、ロケーションリスト１９に記載されたロケーション情報３に従って、次の候補地の名称データ２３をＭＭＩ画面表示部９に出力する（ステップＳ１４）。そして、情報取得部６がロケーション情報３を確定させるまで、ステップＳ１２〜Ｓ１４を繰り返す。
【００４２】
（作用および効果）
以上の第３の実施形態は、監視装置１０３の設置位置から導かれる地域別設定情報５を、ユーザが選択しないことも考慮した実施形態である。つまり、第３の実施形態においては、現実の設置位置とは異なる地域を、候補地出力部１３が候補地の名称データ２３として複数出力して、ＭＭＩ画面表示部９が候補地の名称をＭＭＩ画面に順次表示することができる。このため、ユーザは、候補地出力部１３が出力した候補地の中から、所望の地域を選択することが可能となり、地域別設定情報５の選択自由度が大幅に広がる。
【００４３】
監視装置１０３の適用地域がグローバル化するにつれて、監視装置１０３の運用者も多様化しており、監視装置１０３が設置される地域と、その地域に設定された表示言語との関係は、固定的とは言えなくなってきている。従来では、監視装置１０３が設置された地域が韓国であれば、表示言語として韓国語が設定されているだけで十分であった。しかし近年では、監視装置１０３の運用者が、韓国語以外の言語、例えば日本語などを使うことが予想される。
【００４４】
この場合、情報取得部６が、監視装置１０３の設置位置に応じた地域別設定情報５を、外部サーバ１０から、単に自動的に取得してしまうと、監視装置１０３が設置される地域と、その地域に設定された表示言語との関係が固定的となり、かえってユーザビリティを損ねる可能性がある。そこで、表示言語として日本語を使いたいユーザが、韓国に設置された監視装置１０３を使用する場合には、候補地出力部１３が出力した候補地の中から、日本を選択することで、表示言語として日本語を利用することが可能となる。
【００４５】
このように、第３の実施形態では、候補地出力部１３が複数の候補地を出力して表示し、候補地受付部１４がユーザから候補地を受け付けることで、ユーザが選んだ地域の地域別設定情報５を取得することができる。これにより、ＭＭＩ画面表示部９はユーザが望んだ表示言語を柔軟に表示することが可能となり、優れたユビキタスおよびユーザビリティを発揮することができる。
【００４６】
（第４の実施形態）
（構成）
第４の実施形態の構成を、図７を参照して説明する。図７は第４の実施形態による監視装置の構成を示すブロック図である。
【００４７】
第４の実施形態では、外部サーバ１０で管理される地域別設定情報５には表示言語のフォントサイズ設定情報が含まれており、これが情報取得部６において展開されてフォントサイズデータ２２となる。第４の実施形態に係る監視装置１０４は、設定部８に言語表示最適化部１５を備えた点に特徴がある。
【００４８】
情報取得部６から入力した取得データ２１の中にフォントサイズデータ設定情報が含まれていると、言語表示最適化部１５は、フォントサイズ設定情報を展開したフォントサイズデータ２２を基にして、表示言語のフォントサイズが予め設定された最適値となるようにフォントサイズを調整する。このようなフォントサイズの調整により、言語表示最適化部１５はフォントサイズを最適化した言語データ２４を生成する。
【００４９】
（作用および効果）
ＭＭＩ画面における言語表記は、言語によっては解像度の都合により、フォントサイズを拡大した方が見やすい文字があり、表示言語の種類ごとにフォントサイズの最適値は決まっている。そこで、第４の実施形態では、言語表示最適化部１５が表示言語のフォントサイズを最適化した言語データ２４を生成し、これをＭＭＩ画面表示部９へと送る。このため、ＭＭＩ画面表示部９は、フォントサイズを最適化した表示言語をＭＭＩ画面に表示するようになっている。
【００５０】
上記の第４の実施形態によれば、外部サーバ１０から取得した表示言語設定情報については、言語表示最適化部１５が表示言語のフォントサイズを最適化するので、どの表示言語をＭＭＩ画面に表示するにせよ、言語表記は常に見やすくなる。したがって、ＭＭＩ画面上での表示言語の視認性が向上し、ＭＭＩ画面の大きさに制約があったとしても、監視装置１０４のユーザビリティをいっそう高めることがきる。
【００５１】
（第５の実施形態）
第５の実施形態について、図８、図９を用いて説明する。図８は第５の実施形態の構成を示すブロック図、図９は第５の実施形態における情報取得処理の流れを示すフローチャートである。
【００５２】
（構成）
図８に示すように、第５の実施形態に係る監視装置１０５では、最新設定情報選択受付部２６を設けている。また、情報取得部６に、最新設定情報判定部１６および最新設定情報報知部１７を有している。最新設定情報判定部１６は、情報取得部６が取得した地域別設定情報５が最新の設定情報か否かを判定する部分である。
【００５３】
最新設定情報報知部１７は、最新設定情報判定部１６の判定結果に従って、地域別設定情報５が最新の設定情報であることを報知するためのポップアップデータ２５をＭＭＩ画面表示部９に出力する。ＭＭＩ画面表示部９は、最新設定情報報知部１７からポップアップデータ２５を入力すると、ＭＭＩ画面に、地域別設定情報５が最新の設定情報であることを示すホップアップ表示を行う。
【００５４】
ポップアップデータ２５に基づくホップアップ表示は、地域別設定情報５を更新するか否かをユーザに選択させる表示となっている。そのため、最新設定情報選択受付部２６は、地域別設定情報５を更新するか否かというユーザの選択を受け付けるようになっている。最新設定情報選択受付部２６がユーザから設定情報更新を受け付けると、情報取得部６は最新の地域別設定情報５を外部サーバ１０から取得するようになっている。
【００５５】
（地域別設定情報の取得処理）
第５の実施形態における情報取得処理について、図９のフローチャートを用いて説明する。図９のフローチャートに示すように、最新設定情報判定部１６は、情報取得部６が取得した地域別設定情報５について最新の設定情報の有無を監視している（ステップＳ２１）。
【００５６】
最新設定情報判定部１６が、最新の設定情報があると判定すれば（ステップＳ２２のＹｅｓ）、この判定結果に基づいて、最新設定情報報知部１７が、地域別設定情報５が最新の設定情報であることを報知するためのポップアップデータ２５をＭＭＩ画面表示部９に出力する（ステップＳ２３）。
【００５７】
最新設定情報判定部１６が、最新の設定情報はないと判定すれば（ステップＳ２２のＮｏ）、最新設定情報報知部１７はポップアップデータ２５をＭＭＩ画面表示部９に出力することなく、ステップＳ０２に移行する。ステップＳ０２〜Ｓ０４については、図３のフローチャートのステップＳ０２〜Ｓ０４と同様である。
【００５８】
ステップＳ２４では、ＭＭＩ画面表示部９が、最新設定情報報知部１７からポップアップデータ２５を入力して、ＭＭＩ画面にホップアップ表示を行い、最新設定情報選択受付部２６は、地域別設定情報５を更新するか否かといったユーザの選択を受け付ける。このとき、ユーザが地域別設定情報５を更新することを選んだのであれば（ステップＳ２４のＹｅｓ）、ステップＳ０３に移行する。一方、ユーザが地域別設定情報５を更新しないことを選んだのであれば（ステップＳ２４のＮｏ）、処理は終了となる。
【００５９】
（作用および効果）
以上の第５の実施形態では、最新設定情報報知部１７からポップアップデータ２５を入力して、ＭＭＩ画面にホップアップ表示を行い、地域別設定情報５を更新するか否かを、ユーザが選択可能である。したがって、ユーザ自身が監視装置１０５のアップデートを容易に実施でき、さらなるユーザビリティの向上といった独自の効果がある。
【００６０】
（他の実施形態）
上記の実施形態は、本明細書において一例として提示したものであって、発明の範囲を限定することを意図するものではない。すなわち、その他の様々な形態で実施されることが可能であり、発明の範囲を逸脱しない範囲で、種々の省略や置き換え、変更を行うことが可能である。これらの実施形態やその変形例は、発明の範囲や要旨に含まれると同様に、特許請求の範囲に記載された発明とその均等の範囲に含まれるものである。
【００６１】
例えば、情報取得部は表示言語や整定値の設定情報に限らず、アプリなどを外部サーバから取得するようにしてもよい。また、表示言語に関しては、公用語を複数持つ地域も存在するので、外部サーバにおいて、地域別設定情報を国単位ではなく州単位などのレベルで分類し、州などの地域名をタグの地域名として設定情報に付与して、その州の公用語を表示言語として設定するようにしてもよい。さらに、第３の実施形態において、候補地のロケーション情報３に包含されるデータとして、候補地の名称データ２３ではなく、候補地における言語名データを用いるようにしてもよい。
【符号の説明】
【００６２】
１：位置測位システム
２：位置測位システム用のインターフェース
３：ロケーション情報
４：ロケーション情報生成部
５：地域別設定情報
６：情報取得部
７：計測部
８：設定部
９：ＭＭＩ画面表示部
１０：外部サーバ
１１：アンテナ
１２：候補地格納部
１３：候補地出力部
１４：候補地受付部
１５：言語表示最適化部
１６：最新設定情報判定部
１７：最新設定情報報知部
１８：コンセント
１９：ロケーションリスト
２０：接続判定部
２１：取得データ
２２：フォントサイズデータ
２３：名称データ
２４：フォントサイズを最適化した表示言語データ
２５：ホップアップデータ
２６：最新設定情報選択受付部
１０１〜１０５：監視装置
【図１】
2015195662.tif 000003
【図２】
2015195662.tif 000004
【図３】
2015195662.tif 000005
【図４】
2015195662.tif 000006
【図５】
2015195662.tif 000007
【図６】
2015195662.tif 000008
【図７】
2015195662.tif 000009
【図８】
2015195662.tif 000010
【図９】
2015195662.tif 000011